(57)【要約】本発明は、通電用の端子６を植設したキャップ７の内側の端子間に、開口孔９を穿設した支持板１０を設け、この支持板１０の開口孔９に嵌入されるヒーター８と、該ヒーター８を支持する支持板１０を両側から挟むと共に、端子６に電気的に接続された伝熱体１２とから発熱体１３を形成し、更に該発熱体１３を、一端に開口部１４を有する耐熱プラスチックからなるロッド１５内に収容し、キャップ７により開口部１４を封止してなるヘアーカーラー１を提供する。本発明によれば、ヘアーカーラーは極めて簡単な構造となり、またロッドを耐熱プラスチック製にしたことと相まって、ヘアーカーラーの軽量化が図られ、これにより１本のコードに複数個のヘアーカーラーを接続し、且つコードを弛緩させた状態で、被施術者がリラックスした状態で施術が可能である。
2004052141.tif 000002
【特許請求の範囲】
【請求項１】
端子を植設したキャップの内側の端子間に、開口孔にヒーターを嵌め込んだ支持板を設け、該支持板を両側から挟むように、前記端子に伝熱体を取り付けてなる発熱体が、一端に開口部を有する耐熱プラスチックからなるロッド内に収容され、前記開口部が前記キャップにより封止されていることを特徴とするヘアーカーラー。
【請求項２】
端子を植設したキャップの内側の端子間に、ヒーターを挟み込んだ伝熱体を取り付けてなる発熱体が、一端に開口部を有する耐熱プラスチックからなるロッド内に収容され、前記開口部が前記キャップにより封止されていることを特徴とするヘアーカーラー。
【請求項３】
伝熱体が板状体とその両端から折曲げられた円弧状部とからなる請求項１又は２記載のヘアーカーラー。
【請求項４】
伝熱体のヒーターと接触する部分が凸状面からなる請求項１〜３のいずれか１項に記載のヘアーカーラー。
【請求項５】
キャップが端子をインサート成形してなる請求項１〜４のいずれか１項に記載のヘアーカーラー。
【請求項６】
伝熱体が端子に螺着されている請求項１〜５のいずれか１項に記載のヘアーカーラー。
【請求項７】
伝熱体がアルミニウムからなる請求項１〜６のいずれか１項に記載のヘアーカーラー。
【請求項８】
耐熱プラスチックからなるロッドが両端部よりも中央部が縮径の弧状からなる請求項１〜７のいずれか１項に記載のヘアーカーラー。
【請求項９】
耐熱プラスチックからなるロッドの長手方向に少なくとも１条の微細突起列を設けてなる請求項１〜８のいずれか１項に記載のヘアーカーラー。
【請求項１０】
キャップ及び支持板が耐熱プラスチックからなる請求項１〜９のいずれか１項に記載のヘアーカーラー。
【請求項１１】
耐熱プラスチックがガラス繊維強化ポリエステルである請求項１〜１０のいずれか１項に記載のヘアーカーラー。
【請求項１２】
耐熱プラスチックが遠赤外線放射性物質及び／又はマイナスイオン発生物質を含有してなる請求項１〜１１のいずれか１項に記載のヘアーカーラー。
【請求項１３】
分電部からのコードに、請求項１〜１２のいずれか１項に記載のヘアーカーラーを着脱自在に接続したことを特徴とするヘアーウエーブ装置。
【請求項１４】
コードに複数個のヘアーカーラーを接続した請求項１３記載のヘアーウエーブ装置。
【請求項１５】
支軸の下部には基台部、上部にはコントロール部を配設し、前記基台部とコントロール部との間に少なくとも１個の収納部を回動自在に軸着した請求項１３又は１４記載のヘアーウエーブ装置。
【請求項１６】
請求項１３〜１５のいずれか１項に記載のヘアーウエーブ装置を用いて、ヘアーカーラーを接続したコードを弛緩した状態に保持して施術することを特徴とするヘアーウエーブ施術方法。
【発明の詳細な説明】
【技術分野】    本発明は、頭髪にパーマネントウェーブを施術する際に用いるヘアーカーラー、これを用いたヘアーウエーブ装置及び該装置を用いたヘアーウェーブ施術方法に関する。
【背景技術】    従来のヘアーウエーブ装置としては、例えば、日本国特許第３７９８３７４号公報に記載されているように、懸架された分電箱から延線されたコードの他端に、ヘアーカーラーを着脱自在に接続すると共に、このヘアーカーラーがコードに接続された状態において、前記分電箱から任意の位置にヘアーカーラーを吊り下げ可能にする吊り下げ紐を出入できる巻き込みドラムを備えたヘアーウェーブ装置であって、該ヘアーカーラーは、着脱自在用のピンジャックの端子にリード線を介してセラミックヒーターが接続され、更に、ピンジャックのボデーにはセラミックヒーターを挟むように２本のステーが植設され、且つ、そのステーの先端にはナットが固着されると共に、前記ピンジャックのボデーに形成された縮径断部にはセラミックパイプが被嵌され、このセラミックパイプの他端開口部に中心孔を有するキャップを被せ、このキャップの中心孔に押し座を有するフック付きネジを貫通させ、且つ、前記ナットに螺合して一括固定して構成されている。
そして、このヘアーウエーブ装置は被施術者の頭上に配置され、その分電箱から懸吊するように延線されるコードに接続された複数個のヘアーカーラーは、被施術者の頭髪にセットされる。
しかしながら、上記したヘアーウエーブ装置においては、ヘアーカーラーにセラミックパイプを適用しているため重量が大きく、これを軽減するためにヘアカーラーをその先端に設けたフックに引っ掛けた紐で吊るす必要があり、従って、操作が面倒で、コードと吊し紐とが交錯したり絡まったりして作業性が悪いという問題を含んでいる。また、重量が大きいために、１本のコードには１個のヘアーカーラーを吊しているため、いきおいコード数が多くなり、このコード数に更に上記した吊し紐が加わるので益々複雑な構造にならざるをえないばかりでなく、ヘアーカーラーの重量も更に大きくなる。
このようなヘアーウエーブ装置においては、ヘアーカーラーの重さが被施術者の頭部に伝達されないようにしなければならない。そのため、被施術者の頭上に配設された分電箱に吊り下げ紐の巻き込みドラムを設け、この巻き込みドラムから繰り出す紐の長さを調節したり、また、ヘアーカーラーの片端又は両端に設けられたフックに吊し紐を引っ掛け、被施術者の頭部に荷重が掛からないように紐の長さを調節してテンションの掛かった状態になるように懸吊した状態で施術が行われる。
かくして、ヘアーウエーブ施術中に、被施術者が頭を最初に調節した位置から左右前後に動かしたりすると、コードや吊し紐のテンション状態が変化しバランスがくずれ、コードや吊し紐が弛緩した状態となるとヘアーカーラーの重量が直接頭部に掛かり被施術者に苦痛を与えることになり、逆に、コードや吊し紐が緊張し過ぎると毛髪を引っ張ることになり、これも被施術者に不快感を与えることになる。そのため、被施術者は施術の最初から終わりまで、最初の姿勢を保たねばならず、自由度が失われ甚だ苦痛な状態に置かれてしまう。更にまた、ヘアーカーラーは頭上から吊り下げられる懸吊方式であり、多数のコードと吊し紐とが入り乱れ、これらを避けながら施術することになるため、極めて作業性が悪いのが実情である。
本発明は上記実情に鑑み、ヘアーカーラーの軽量化を図り、これによって、１本のコードに複数個のヘアーカーラーを接続し、コード数を減らすとともに吊し紐を不要とし、その結果、コードや紐によりヘアーカーラーにかかる重量を大巾に減少させるとともに、コード数も少なくてすむので装置が簡単になることにより、作業性を飛躍的に向上させ、また、従来のように、コードをテンションの掛かった懸吊方式ではなく、コードを弛緩させた状態での施術を可能として、パーマ施術の作業性を大幅に改善するとともに、施術中における被施術者の自由度を大巾に拡大し、とりわけ頭上からの圧迫感を解消し、リラックスした状態でのヘアーウエーブ施術を可能にすることを目的とする。
【発明の開示】
上記目的を達成するために、本発明の第１のヘアーカーラーに係る請求項１の発明は、端子を植設したキャップの内側の端子間に、開口孔にヒーターを嵌め込んだ支持板を設け、該支持板を両側から挟むように、前記端子に伝熱体を取り付けてなる発熱体が、一端に開口部を有する耐熱プラスチックからなるロッド内に収容され、前記開口部が前記キャップにより封止されていることを特徴とするヘアーカーラーを内容とするものである。
また、請求項２の発明は、端子を植設したキャップの内側の端子間に、ヒーターを挟み込んだ伝熱体を取り付けてなる発熱体が、一端に開口部を有する耐熱プラスチックからなるロッド内に収容され、前記開口部が前記キャップにより封止されていることを特徴とするヘアーカーラーである。
また、請求項３の発明は、伝熱体が板状体とその両端から折曲げられた円弧状部とからなる請求項１又は２記載のヘアーカーラーである。
また、請求項４の発明は、伝熱体のヒーターと接触する部分が凸状面からなる請求項１〜３のいずれか１項に記載のヘアーカーラーである。
また、請求項５の発明は、キャップが端子をインサート成形してなる請求項１〜４のいずれか１項に記載のヘアーカーラーである。
また、請求項６の発明は、伝熱体が端子に螺着されている請求項１〜５のいずれか１項に記載のヘアーカーラーである。
また、請求項７の発明は、伝熱体がアルミニウムからなる請求項１〜６のいずれか１項に記載のヘアーカーラーである。
また、請求項８の発明は、耐熱プラスチックからなるロッドが両端部よりも中央部が縮径の弧状からなる請求項１〜７のいずれか１項に記載のヘアーカーラーである。
また、請求項９の発明は、耐熱プラスチックからなるロッドの長手方向に少なくとも１条の微細突起列を設けてなる請求項１〜８のいずれか１項に記載のヘアーカーラーである。
また、請求項１０の発明は、キャップ及び支持板が耐熱プラスチックからなる請求項１〜９のいずれか１項に記載のヘアーカーラーである。
また、請求項１１の発明は、耐熱プラスチックがガラス繊維強化ポリエステルである請求項１〜１０のいずれか１項に記載のヘアーカーラーである。
また、請求項１２の発明は、耐熱プラスチックが遠赤外線放射性物質及び／又はマイナスイオン発生物質を含有してなる請求項１〜１１のいずれか１項に記載のヘアーカーラーである。
さらに、本発明の第２ヘアーウエーブ装置に係る請求項１３の発明は、分電部からのコードに、請求項１〜１２のいずれか１項に記載のヘアーカーラーを着脱自在に接続したことを特徴とするヘアーウエーブ装置を内容とする。
また、請求項１４の発明は、コードに複数個のヘアーカーラーを接続した請求項１３記載のヘアーウエーブ装置である。
また、請求項１５の発明は、支軸の下部には基台部、上部にはコントロール部を配設し、前記基台部とコントロール部との間に少なくとも１個の収納部を回動自在に軸着した請求項１３又は１４記載のヘアーウエーブ装置である。
さらにまた、本発明の第３のヘアーウエーブ施術方法に係る請求項１６の発明は、請求項１３〜１５のいずれか１項に記載のヘアーウエーブ装置を用いて、ヘアーカーラーを接続したコードを弛緩した状態に保持して施術することを特徴とするヘアーウエーブ施術方法を内容とする。
【図面の簡単な説明】    図１は、本発明の実施例１におけるヘアーカーラーの外観を示した正面図である。
図２は、同ヘアーカーラーの内部構成を示すＸ−Ｘ断面図である。
図３は、同ヘアーカーラーの端子間に設けられる支持板を示す斜視図である。
図４は、（ａ）同ヘアーカーラーの支持板を両側から挟むように設けられる伝熱体の斜視図である。
（ｂ）同伝熱体の側面図である。
図５は、（ａ）同ヘアーカーラーの支持板を両側から挟むように設けられる他の形態の伝熱体の斜視図である。
（ｂ）同伝熱体の切欠部及び凸状面を示す断面図である。
図６は、本発明の実施例２におけるヘアーカーラーの断面図である。
図７は、同ヘアーカーラーの発熱体の上面図である。
図８は、同ヘアーカーラーのロッドの正面図である。
図９は、本発明の実施例３におけるヘアーウエーブ装置の全体を示す側面図である。
図１０は、同ヘアーウエーブ装置のコントロール部を示す上面図である。
図１１は、本発明の実施例４におけるヘアーウエーブ施術方法を説明するための斜視図である。
【発明を実施するための最良の形態】    本発明の請求項１に係るヘアーカーラーは、通電用の端子を植設したキャップの内側の端子間に、開口孔を穿設した支持板を設け、この支持板の開口孔に嵌入されるヒーターと、該ヒーターを支持する支持板を両側から挟むと共に、前記端子に電気的に接続された伝熱体とから発熱体を形成し、更に該発熱体を、一端に開口部を有する耐熱プラスチックからなるロッド内に収容し、前記キャップにより前記開口部を封止した構成からなることを特徴とする。
また、本発明の請求項２に係るヘアーカーラーは、端子を植設したキャップの内側の端子間に、ヒーターを挟み込んだ伝熱体を取り付けてなる発熱体が、一端に開口部を有する耐熱プラスチックからなるロッド内に収容され、前記開口部が前記キャップにより封止した構成からなることを特徴とする。
かかる構成とすることによって、ヘアーカーラーは極めて簡単な構造となり、またロッドを耐熱プラスチック製にしたことと相まって、ヘアーカーラーは大巾に軽量化される。特に、請求項２に係るヘアーカーラーは、請求項１に係るヘアーカーラーにおける支持板を使用しないため、その分だけ更に軽量化が図られる。本発明のヘアーカーラーは、軽量化の実現により、１本のコードに複数個のヘアーカーラーを接続し、コードを弛緩させた状態で、施術者は作業性良く、また被施術者は施術中において自由度が拡大され、リラックスした状態で施術を受けることが可能になる。
以下、本発明の実施例を図面に基づいて説明するが、本発明は以下の実施例に限定されるものではない。
【実施例１】    本発明のヘアーカーラーの実施例を図１〜図５に基ずいて説明する。
図１はヘアーカーラーの正面図であり、ヘアーカーラ１の左端部２、右端部３には輪ゴム掛合部４がそれぞれ形成され、また、その中央部５は、両端部よりも縮径の弧状をなしている。
そして、このヘアーカーラ１の内部構造は、図２に示すように、ヘアーカーラ１が被施術者の頭髪にセットされた後、電気的に接続するための２本の端子６は、耐熱性プラスチック製のキャップ７に、インサート成形方法によって一体的に植設されている。
また、図３に示すように、端子６が植設されたキャップ７の内側の２本の端子間には、ヒーター８を嵌入するための開口孔９を有する耐熱性プラスチック製の支持板１０が設けられ、更に、図４（ａ）、（ｂ）に示すように、該支持板１０を両側から挟むように、且つ、端子６に電気的にビス１１によって固定されるアルミニューム製の伝熱体１２が設けられ、そして、これらヒーター８、伝熱体１２、キャップ７等からなる発熱体１３は、一端に開口部１４を有する耐熱性プラスチックからなるロッド１５内に収容され、開口部１４はキャップ７により接着剤（図示せず）を介して完全に封止されている。
また、伝熱体１２は、中央に凸状面１２ａが形成された板状体１２ｂとその両端から折曲げられた円弧状部１６と、さらに長手方向の一端から立設され、ビス１１によって端子６に固定するための透孔１７を有する固定部１８とから形成されている。また、伝熱体１２は、図５（ａ）、（ｂ）に示したように、固定部１８の反対側の一端を切り欠いて（図５（ａ）に示す破線部分Ｋが切り欠いた部分）おけば、この部分の外径寸法は細くなるので、発熱体１３としてロッド１５内にその開口部１４から挿入し易くなり、作業性が高められるというメリットがある。
なお、ロッド１５をはじめキャップ７や支持板１０の材料として用いられる耐熱プラスチックとしては、特に制限されず、例えば、ポリイミド、ポリベンゾイミダゾールや強化プラスチック、例えば、ガラス繊維、カーボン繊維、マイカ、ガラス球、炭酸カルシウム、タルク等の強化材で強化したポリエステル、エポキシ等が挙げられる。これらの中で、プリプレグ法で得られるガラス繊維強化ポリエステル（ポリブチレンテレフタレート、ポリエチレンテレフタレート）が軽量で、耐熱性に優れ、成形性も良好である点で好適である。
また、上記耐熱プラスチックに、上記したカーボン繊維の他、カーボン粉粒体や、アルミナ（Ａｌ２Ｏ３）系、マグネシア（ＭｇＯ）系、ジルコニア（ＺｒＯ２）系、チタニア（ＴｉＯ２）系の外、二酸化ケイ素（ＳｉＯ２）、酸化クロム（Ｃｒ２Ｏ３）、フェライト（ＦｅＯ２・Ｆｅ３Ｏ４）、スピネル（ＭｇＯ・Ａｌ２Ｏ３）、セリア（ＣｅＯ２）、ベリリア（ＢｅＯ）等の１種又は２種以上の遠赤外放射性物質を含有させることにより、ヘアーカーラーに巻回した毛髪全体に且つ均一に熱が伝わり、毛髪に均一なカールを付与することができる。
更に、トルマリン（電気石）等のマイナスイオン発生物質を含有させることにより、毛表皮を締めて毛髪に艶を出すことができる。トルマリンとしては、ショールトルマリン、リチウムトルマリン、ドラバイトトルマリン、ルベライトトルマリン、ピンクトルマリン、インデコライト、バライバトルマリン、ウォーターメロン等が挙げられ、これらは単独で又は必要に応じ２種以上組み合わせて用いられる。
これらの遠赤外線放射性物質及びマイナスイオン発生物質は併用することもでき、それぞれ単独又は併用する場合の含有量は、耐熱プラスチック１００重量部に対し１〜３０重量部、好ましくは５〜２０重量部である。１重量部未満では添加効果が十分でなく、一方、３０重量部を越えると成形性や強度等の物性が低下する。
以上のように、本実施例におけるヘアーカーラー１は、その構造が簡単なうえ、構成の主要素となるロッド１５、キャップ７、支持板１０に耐熱性プラスチック材料を、中でもガラス繊維強化ポリエステルを採用したことにより、極めて軽いものとなる。また、端子６とヒーター８との接続は、ネジ固定によって接続される伝熱体１２を介して行われるので、細線の半田付けによる接続は不要になり、組み付け時の作業性に優れるのみならず、ヘアーカーラーとして施術使用中に誤って落下しても断線するようなことはないので耐久性に優れている。
また、伝熱体１２は、銅、鉄、真鍮等も使用できるが、軽量化の目的からはアルミニウムが好ましい。更に、端子６のキャップ７への植設はインサート成形方法に限定されないが、シール性の面ではインサート成形方法によって植設されるのが好ましく、この箇所からパーマネント液や洗浄液などの浸透により発生する故障等が防止されるという効果がある。
また、伝熱体１２のヒーター８と接触する部分を凸状面１２ａとすることにより、凸状面１２ａの弾性変形により伝熱体１２とヒーター８とが常に密着することになり、接触不良が防止され、伝熱効率も良好となる。
更に、ロッド１５は、両端部よりも中央部が縮径の弧状に形成されることにより、頭髪をロッドに捲着し易く、作業性に優れる。ヒーター８としては、面状ヒーターが好ましく、セラミックヒーターが好ましい。
【実施例２】    本実施例のヘアーカーラー１は、図６〜図８に示すように、キャップ７に電気的に接続された伝熱体１２からなる発熱体１３がロッド１５内に収容されてなる。キャップ７の外側には端子６が植設され、キャップ７の内側には２本の端子６ａが突設されている。
一方、伝熱体１２（本例では銅からなる）は、中央に凸状面１２ａが形成された板状体１２ｂとその両端から折り曲げられた円弧状部１６と、さらに長手方向の一端から立設され、端子６ａからの細線（リード線）１９の挿通孔２０を有し、端子６ａに当接して伝熱体１２を固定するための固定部１８からなる伝熱体１２Ａと、中央に、上記凸状面１２ａに対応する凹状面１２ｃが形成されている以外は同じ形状からなる伝熱体１２Ｂとからなり、上記凸状面１２ａと凹面状１２ｃとで形成される空間部内にヒーター８が挟着されている。
キャップ７の内側に突設された２本の端子６ａからの細線１９は、伝熱体１２Ａ、１２Ｂの各固定部１８の挿通孔２０を挿通して固定部１８付近の伝熱体１２Ａ、１２Ｂの各板状体１２ｂに溶接（溶接部２１）され、電気的に接続されている。尚、伝熱体１２Ａ、１２Ｂの固定部１８側は、溶接作業を容易とするために、切欠部２２が設けられている。
上記の発熱体１３は、実施例１と同様、ロッド１５内に収容され、開口部１４はキャップ７により接着剤（図示せず）を介して完全に封止される。本例では、ロッド１５の長手方向の表面には、少なくとも１条（図面では４条）の微細突起列２３が設けられており、該突起列２３により毛髪の巻着が容易となり作業性が向上する。微細突起列２３は、２〜６条程度設けるのがが好ましい。
【実施例３】    実施例１で説明したヘアーカーラーを用いたヘアーウエーブ装置について、図９、図１０を用いて説明する。
図９は、ヘアーウエーブ装置の側面図であり、同図から明かのように、ヘアーウエーブ装置３１は、中心から後方に偏芯した位置に支軸３２を設け、該支軸３２の下部には基台部３３を、上部にはコントロール部３４を配設し、更に、基台部３３とコントロール部３４との間には少なくとも１個（図では２個）の収納部３５を回動自在に軸着して構成されている。そして、収納部３５は、偏芯した支軸に回動自在に軸着しているので、物の出し入れの際は、回動させて上部を開口して利用する。基台部３３とコントロール部３４は、固定させてもよい。
また、コントロール部３４の後方には、ヘアーカーラーに制御電力を供給する複数本のコード３６が接続される分電部３７が設けられ（図９では、コード３６は１本のみが示されている）、また、この分電部３７と干渉しない位置に、上下方向に調節可能なＴ字状のコード保持バー３８がブラケット３９を介して設けられている。
また、分電部３７に接続されるコード３６の先端側には、前述したヘアーカーラーの端子と着脱自在に接続されるコネクター４０が複数個（図９では３個）連設されている。コード３６の本数及びコード３６に連接されるコネクター４０の数は、ヘアーカーラー１のサイズや重さ、或いはコード３６の長さやコネクター４０の形態や重さ等を勘案し、所望の軽量性や作業性等を考慮したうえで決定される。好ましくは、コードは５〜１０本、１本のコードに接続されるコネクターは３〜５個が適当である。
さらに、図１０に示したように、ヘアーウエーブ装置３１の上部に配設されたコントロール部３４の手前側には、ヘアーカーラー１やコード３６等を収納するトレイ４１（図では３分割）が設けられ、奥側半分には制御パネル４２が配設されている。そして、この制御パネル４２には電源スイッチ、その表示ランプをはじめ、ロッド電力供給スイッチ、ロッド表示ランプ、更に、パーマモードとセッティングモードの温度及び時間の設定ボタン、その表示ランプ等制御に必要な各種スイッチ及び制御状態を表示する各種ランプが設けられている。
なお、本実施例におけるヘアーウエーブ装置においては、デジタル制御回路を搭載し、また、ロッドの制御電圧を１２Ｖに制限し、これによって、ロッドの万一の過昇温防止や感電防止などを図り、より一層安全性を高めている。
【実施例４】    次に、上記実施例３で示したヘアーウエーブ装置を用いて、ヘアーカーラーを接続したコードを弛緩した状態に保持して施術するヘアーウエーブ施術方法を図１１に基ずいて説明する。
前述したヘアーカーラー１に被施術者の頭髪が捲着されセットされると、ヘアーウエーブ装置３１の後方の分電部２５から延線されたコード３６は、被施術者の頭部の位置よりコード保持バー３８の水平部３８ａが頭部よりも高い位置になるように設定調節された後、コード３６はこの水平部３８ａを跨いでその一部は該水平部によって支えられると共に、コード３６が弛緩した状態でその先端部分に分岐されて設けられたコネクター４０はヘアーカーラー１の端子６にそれぞれ接続される。その後、制御パネル４２で設定された温度、時間等の条件に従ってヘアーカーラー１に電力が供給される。
以上のように、本実施例によれば、ヘアーカーラーが軽量化（１／２〜１／３に）されているので、従来の如く、コードを頭上に実質的に張力をかけた状態で懸吊する必要はなく、適宜弛緩させた状態で施術ができるので、パーマ施術の作業性を大幅に改善するとともに、被施術者はパーマ施術中、頭髪を上方に引っ張られているという不自由な状態から解放され、コードの弛緩の範囲内で自由に頭部を動かしたり姿勢を変えることができ、リラックスした状態で施術を受けることができる。
【産業上の利用可能性】    叙上のように、本発明のヘアーカーラー、これを用いたヘアーウエーブ装置及び該装置を用いたヘアーウエーブ施術方法によれば、下記の如き多くの特徴、利点を有する。
本発明の請求項１に係るヘアーカーラーは、端子を植設したキャップの内側の端子間に、開口孔にヒーターを嵌め込んだ支持板を設け、該支持板を両側から挟むように、且つ前記端子に伝熱体を取り付けてなる発熱体が、一端に開口部を有する耐熱プラスチックからなるロッド内に収容されたうえ、該ロッドの開口部がキャップにより封止されるように構成したことにより、極めてその構造が簡単になり、且つ、ロッドの材質をプラスチック製にしたことと相まってヘアーカーラーの大巾な軽量化が実現される。
また、本発明の請求項２に係るヘアーカーラーは、端子を植設したキャップの内側の端子間に、ヒーターを挟み込んだ伝熱体を取り付けてなる発熱体が、一端に開口部を有する耐熱プラスチックからなるロッド内に収容され、前記開口部が前記キャップにより封止した構成からなることにより、上記ヘアーカーラーよりも支持板を用いない分だけ一層構造が簡単になり、且つ一層軽量化が達成される。
また、端子からヒーターへの電導機能と、ヒーターからロッドへの伝熱機能の両機能を兼ね備えた伝熱体が、板状体とその両端から折曲げられた円弧状部とから形成されたことにより、軽量化が図られるとともに伝熱特性に優れている。
また、ヒーターと接触する部分の伝熱体の一部を凸状面に形成すれば、その部分は弾力性を有して接触することになるので、使用中にロッドの内部で接触不良となることがなく、伝熱効率が良好である。
また、端子付きのキャップの成形は、端子を金型にセットしてから材料を導入するインサート成形方式によって行うことにより、キャップの端子との接触面はシール性に優れ、この部分からの薬液等の侵入がなく、これらの侵入によるトラブルの発生が防止される。
また、伝熱体が端子に直接螺着されるように構成することにより、半田付け作業を伴うリード線は不要となり、且つ構造が単純化されるとともに確実化されることにより、信頼性が高められる。
また、伝熱体をアルミニウムとすることにより、ヘアーカーラーの一層の軽量化が達成される。
また、耐熱プラスチックからなるロッドが両端部よりも中央部が縮径の弧状からなるように形成したり、ロッドの表面に長手方向に微細突起を列設することにより、頭髪が巻き易く、作業性に優れたヘアーカーラーが提供される。
また、キャップ及び支持板の材質を耐熱プラスチックとすることにより、ヘアーカーラーの軽量化が更に高められる。
また、耐熱プラスチックとしてガラス繊維強化ポリエステルを用いることにより、機械的強度が高いので薄肉状態の加工が容易になり、ヘアーカーラーの軽量化と伝熱特性が一層高められる。
また、ヘアーウエーブ装置の分電部から延線されるコードに、前述したようなヘアーカーラーを着脱自在に接続し、該コードに複数個のヘアーカーラーを接続することにより、コード数が大巾に減少し、装置が簡略化されるとともに作業性が向上し、更に被施術者に対する圧迫感が一掃される。
また、ヘアーウエーブ装置の支軸の下部には基台部を、上部にはコントロール部を配設し、前記基台部とコントロール部との間に少なくとも１個の収納部を回動自在に軸着したことにより、ヘアーカーラー、コード、薬液等を効率良く収納でき、とりわけ、収納部は必要なときだけ簡単に回動するだけで収納物を取り出しすことができるので作業性が良く、また不要なときは反対側に回動して元の位置に戻せば、直ちに被蓋された状態になるので極めて利便性が高い。
更にまた、前述のようなヘアーウエーブ装置を用いて、ヘアーカーラーを接続したコードを弛緩した状態で施術することにより、被施術者の自由度が増し、姿勢を自由に変えることができるので、リラックスした状態で施術を受けることができる。
【図１】
2004052141.tif 000003
【図２】
2004052141.tif 000004
【図３】
2004052141.tif 000005
【図４】
2004052141.tif 000006
【図５】
2004052141.tif 000007
【図６】
2004052141.tif 000008
【図７】
2004052141.tif 000009
【図８】
2004052141.tif 000010
【図９】
2004052141.tif 000011
【図１０】
2004052141.tif 000012
【図１１】
2004052141.tif 000013
【国際調査報告】
2004052141.tif 000014
2004052141.tif 000015
2004052141.tif 000016
2004052141.tif 000017